(57)【特許請求の範囲】
【請求項１】
吸込口、送風手段、及びこれらを内部に配置して第１係合部が上部に設けられたアウターケーシングを有する本体部と、
前記本体部の上方に軸線周りに前記本体部に対して駆動手段により回転可能に配置される部分を有し、前記送風手段により前記吸込口から吸引された空気を吹き出す吹出口が設けられ、前記駆動手段により回転可能に配置される部分が回転する際に前記第１係合部と前記軸線方向に隙間をもって位置し、前記軸線方向に前記本体部から離れる方向に移動された際に前記第１係合部と係合する第２係合部を下部に有するヘッド部と を備える、送風装置。
【請求項２】
前記第１係合部は前記アウターケーシングの全周にわたって設けられており、前記第２係合部は、前記ヘッド部の全周にわたって設けられている、請求項１に記載の送風装置。
【請求項３】
前記第１係合部は、径方向内側へ突出した内側フランジ部を有し、
前記第２係合部は、径方向外側へ突出した外側上フランジ部と、外側上フランジ部の下方に配置され径方向外側へ突出した外側下フランジ部とを有し、
前記内側フランジ部は、前記外側上フランジ部と前記外側下フランジ部の間に配置されており、前記駆動手段により回転可能に配置される部分が回転する際に前記外側上フランジ部と前記外側下フランジ部とに対して前記軸線方向に隙間をもって配置されている、請求項１または請求項２に記載の送風装置。
【請求項４】
前記ヘッド部は、
外周に第３係合部が設けられ、前記本体部に固定されている固定頂部と、
内周に第３係合部と前記軸線方向に隙間をもって位置し、前記軸線方向に前記本体部から離れる方向に移動された際に係合する第４係合部が設けられ、前記固定頂部及び前記本体部に対して回転可能に配置されている回転部と
を備える、請求項１から３のいずれか１項に記載の送風装置。
【発明の詳細な説明】
【技術分野】
【０００１】
本発明は、送風装置に関する。送風装置とは、吸込口から空気を吸引し、何らかの処理を加え、又は加圧以外の処理を加えることなく、吹出口から空気を吹き出す装置をいう。例えば、送風装置には、除湿機、加湿器、空気調和機、サーキュレータ、冷風機、温風機、及び扇風機等が該当する。
【背景技術】
【０００２】
吹出口から風（空気）が吹き出す方向を変化させることができる除湿機や加湿器が従来から提案されている。例えば、この種の加湿器が、特許文献１に開示されている。
【０００３】
特許文献１の加湿器は、本体ケース及び本体ケースの上部に配置された風向変更部（送風部）を有する。風向変更部は、本体ケースに対して回転可能である。また、風向変更部は、その側面に加湿した空気を吹き出すためのスポット用吹出口を有する。
【０００４】
しかし、特許文献１の加湿器は、風向変更部を本体部とは別体で構成しているため、風向変更部を持って上方へ持ち上げた場合、風向変更部が本体部から外れるおそれがある。
【先行技術文献】
【特許文献】
【０００５】
【特許文献１】特開２０１４−２０７０７号公報
【発明の概要】
【発明が解決しようとする課題】
【０００６】
本発明は、ヘッド部を持ち上げた場合でも、いずれかの部位への持ち上げ力の集中を防止できる送風装置を提供することを課題とする。
【課題を解決するための手段】
【０００７】
本発明は、吸込口、送風手段、及びこれらを内部に配置して第１係合部が上部に設けられたアウターケーシングを有する本体部と、前記本体部の上方に軸線周りに前記本体部に対して回転可能に配置される部分を有し、前記送風手段により前記吸込口から吸引された空気を吹き出す吹出口が設けられ、前記第１係合部と前記軸線方向に隙間をもって位置し、前記軸線方向に前記本体部から離れる方向に移動された際に係合する第２係合部を下部に有するヘッド部とを備える、送風装置を提供する。
【０００８】
この送風装置によれば、ヘッド部に対して上方向の力（持ち上げ力）が付加された場合、いずれかの部位に持ち上げ力が集中することを防止できる。特に本体部に対して回転するヘッド部は、本体部とは別体で構成されているため、本体部とヘッド部とが係合する係合部（第１係合部及び第２係合部）をそれぞれに設ける必要がある。第１係合部を本体部の製品外側を構成するアウターケーシングに配置する。ヘッド部に対して持ち上げ力を付加するときはヘッド部の外周に対して持ち上げ力を作用する。従って、送風装置の外側で持ち上げ力が伝達されるため、持ち上げ力が集中していずれかの部位が破損することを防止できる。
【０００９】
前記第１係合部は前記アウターケーシングの全周にわたって設けられており、前記第２係合部は、前記ヘッド部の全周にわたって設けられていることが好ましい。
【００１０】
この送風装置によれば、アウターケーシング及びヘッド部の全周にわたって第１係合部及び第２係合部が設けられていることで持ち上げ力を装置全体に分散できる。また、アウターケーシングに第１係合部を設けることで長い寸法で係合させることが可能となる。ここで、全周にわたってとは、第１係合部及び第２係合部が全周にわたって途切れなく設けられている場合の他、全周にわたって間欠的に設けられている場合も含む。
【００１１】
前記アウターケーシング及び前記ヘッド部の少なくとも一方は、少なくとも２部品の組み合わせで構成されていることが好ましい。
【００１２】
第１係合部及び第２係合部を全周にわたって設ける場合、アウターケーシング及びヘッド部を２部品以上に分割することで、第１係合部及び第２係合部を互いに係合させて組立できる。
【００１３】
前記第１係合部は、径方向内側へ突出した内側フランジ部を有し、前記第２係合部は、径方向外側へ突出した外側上フランジ部と、外側上フランジ部の下方に配置され径方向外側へ突出した外側下フランジ部とを有し、前記内側フランジ部は、前記外側上フランジ部と前記外側下フランジ部の間に配置されていることが好ましい。
【００１４】
この送風装置によれば、簡易な構成で第１係合部及び第２係合部の係合を実現でき、いずれかの部位への持ち上げ力の集中を防止できる。具体的には、ヘッド部に持ち上げ力が付加された場合、外側下フランジ部の上面と内側フランジ部の下面が当接し、ヘッド部に付加された持ち上げ力をアウターケーシングに伝達する。また、ヘッド部に対して下方向の力（押し下げ力）が付加された場合、外側上フランジ部及び内側フランジ部を介してヘッド部に付加された押し下げ力をアウターケーシングに伝達することが可能となる。
【００１５】
前記ヘッド部は、外周に第３係合部が設けられ、前記本体部に固定されている固定頂部と、内周に第３係合部と前記軸線方向に隙間をもって位置し前記軸線方向に前記本体部から離れる方向に移動された際に係合する第４係合部が設けられ、前記固定頂部及び前記本体部に対して回転可能に配置されている回転部とを備えることが好ましい。
【００１６】
この送風装置によれば、持ち上げ力が付加された場合、第１係合部及び第２係合部が係合するのに加え、第３係合部及び第４係合部がさらに係合することでいずれかの部位に持ち上げ力が集中することを防止できる。第１係合部及び第２係合部と第３係合部及び第４係合部の係合は同時でもよいし、第１係合部及び第２係合部が、第３係合部及び第４係合部よりも先に係合するようにしてもよい。後者の場合、第１係合部及び第２係合部が係合した状態からさらに負荷がかかると、装置が撓み、第３係合部及び第４係合部が係合する。また、第１係合部及び第２係合部は装置の外側に構成され、第３係合部及び第４係合部は装置の中央側に構成されているため、装置全体に持ち上げ力を及ぼすことができる。
【発明の効果】
【００１７】
本発明によれば、係合部を本体部のアウターケーシングに配置することで、ヘッド部を持ち上げた場合でも、いずれかの部位への持ち上げ力の集中を防止できる。
【図面の簡単な説明】
【００１８】
【図１】本発明の実施形態に係る除湿機の斜視図。
【図２】図１の除湿機の分解斜視図。
【図３Ａ】図２の本体を正面側から見た斜視図。
【図３Ｂ】図２の本体を背面側から見た斜視図。
【図４】本発明の第１実施形態に係る除湿機の概念的な断面図。
【図５】除湿機のシステム図。
【図６】図２のヘッド部の分解斜視図。
【図７】図６のヘッド部の一部を下側から見た斜視図。
【図８】外装パネル及びヘッド部の断面図。
【図９】図８の部分拡大模式図。
【図１０Ａ】本発明の第２実施形態に係る係合部を示す概念図。
【図１０Ｂ】本発明の第３実施形態に係る係合部を示す概念図。
【図１０Ｃ】本発明の第４実施形態に係る係合部を示す概念図。
【図１０Ｄ】本発明の第５実施形態に係る係合部を示す概念図。
【図１１】本発明の第６実施形態に係る除湿機の概念的な断面図。
【発明を実施するための形態】
【００１９】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２０】
図１から図３Ｂは本発明の実施形態に係る除湿機１を示す。図４は除湿機１の概念的な断面図である。図５は除湿機１のシステム図である。
【００２１】
（全体構成）
図１及び図２を参照すると、除湿機１は、円柱形状の外観を有し、本体（本体部）１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００２２】
ヘッド部６００は、本体１００の軸線Ｌを中心として回転可能な送風部６４０を備える。送風部６４０は、図１に示す位置を基準（基準位置）として、収容ケース６８０回りを略±１８０度の範囲で周方向Ａに往復（首振り）回転できる。送風部６４０の吹出口６４２には可動式のルーバー６６０が配置されている。ルーバー６６０は、上下方向Ｂの設定範囲で揺動可能である。
【００２３】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（送風手段）４００と、再生空気を循環させるための再生空気ファン４５０とを備える。
【００２４】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル（アウターケーシング）１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。外装パネル１１０Ａ，１１０Ｂは、ベース１０１にねじ止めにより固定されている。
【００２５】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２６】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２７】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ排出される。
【００２８】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００２９】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００３０】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸湿）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。
【００３１】
（ヘッド部の詳細）
図６はヘッド部６００の分解斜視図である。図４及び図６に示すように、ヘッド部６００は、本体１００の上端に固定されたヘッドベース６１０と、ヘッドベース６１０に回転可能に配置された送風部６４０と、送風部６４０をヘッドベース６１０との間に挟み込む収容ケース６８０とを備える。ヘッドベース６１０は、本実施形態のようにヘッド部６００が備える以外に、本体１００が備えていてもよいし、本体１００の例えばベース１０１と一体であってもよい。
【００３２】
図６に示すように、ヘッドベース６１０は、いずれも平面視で概ね円環状の金属製のベース本体６２０と、樹脂製のベースカバー６３０とを備え、これらがネジ止めにより固定されている。ベース本体６２０は、ベース１０１のねじ孔１０４（図２参照）とねじ止めを行うためのねじ止め部６２７が下向きに突出するように設けられている。ベース本体６２０は、実質的な中央に本体１００の送出部４１１に連通する連通口６２１を備える。ベースカバー６３０は、連通口６２１に連通する連通口６３１を備える。ベースカバー６３０には、連通口６３１の内周部から上向きに突出するボス６３２が設けられている。
【００３３】
図６に示すように、送風部６４０は、ヘッドベース６１０に載置された回転本体部６５０と、回転本体部６５０を覆う外装カバー６７０とを備え、これらがネジ止めにより固定されている。これらの間のねじ止め機構については後述する。回転本体部６５０は、平面視円環状であり、ヘッドベース６１０に対して回転する駆動機構を備える。この駆動機構については後に詳細に説明する。
【００３４】
図６に示すように、回転本体部６５０は、連通口６２１，６３１に連通する平面視円形状の流入部６５１と、流入部６５１から径方向外向きに延びる吹出部６５２とを備える。これら流入部６５１及び吹出部６５２により、平面視Ｕ字形状の送風案内部６４１が形成されている。また、吹出部６５２の外側端の吹出口６４２に、可動式のルーバー６６０が配置されている。ルーバー６６０は、回転本体部６５０上に配置したステッピングモータ（第２駆動手段）６６１により上下方向に揺動される。外装カバー６７０は、連通口６３１の上部に位置する円形状の第１開口部６７１と、ルーバー６６０を含む吹出口６４２を露出させる第２開口部６７２とを備える。第１開口部６７１の周囲には、内側に突出した係止部（第４係合部）６７３が設けられている。
【００３５】
収容ケース６８０は、ヘッドベース６１０に送風部６４０を配置し、送風部６４０の第１開口部６７１内に位置するボス６３２にネジ止めすることにより固定されている。収容ケース６８０は、送風部６４０のヘッドベース６１０に対する後述の軸線Ｌ周りの回転は許容するが送風部６４０の軸線Ｌ方向（図において上方）のヘッドベース６１０に対する変位を規制する。収容ケース６８０は、上端開口の収容ケース本体６８１と、収容ケース本体６８１を閉塞するカバーパネル（固定頂部）６８２とを備える。収容ケース本体６８１の内部には、図示しない操作基板が配置されている。カバーパネル６８２には、操作基板のスイッチに対応する入力部が形成されている。カバーパネル６８２の上部には、フランジ部（第３係合部）６８４が形成されている。カバーパネル６８２のフランジ部６８４と外装カバー６７０の係止部６７３が係止することにより、送風部６４０は上方への変位が規制されている。
【００３６】
図７は、回転本体部６５０とヘッドベース６１０を下側から見た斜視図である。図７に示すように、回転本体部６５０は、底面側の全周にわたってギア部６５３を備える。ギア部６５３には、ギア６２４が噛合されている。ギア６２４は、ギア６２５，６２６を介してヘッドベース６１０の下部に配置した電動モータ（第１駆動手段）６２３により駆動される。電動モータ６２３の回転出力がギア６２６，６２５，６２４を介してギア部６５３に伝達され、それによって図１に示す本体１００の軸線Ｌを中心として回転本体部６５０が回転される。
【００３７】
図７に示すように、回転本体部６５０の下側には複数の第１のコロ６９１が配置されている。第１のコロ６９１は、軸線Ｌから径方向に等しい距離に等間隔で３個配置されている。本実施形態では３個の第１のコロ６９１を採用したが、４個以上であってもよい。第１のコロ６９１は、回転本体部６５０のコロ取付部６５４から部分的に下方へ突出して取り付けられている。従って、回転本体部６５０が回転されると、第１のコロ６９１は回転本体部６５０の下方に配置されたベースカバー６３０の上面６３３（図６参照）上を回転し、回転本体部６５０とベースカバー６３０との間の摩擦抵抗を低減する。
【００３８】
また、図６に示すように、回転本体部６５０には、流入部６５１の上部に複数の第２のコロ６９２が配置されている。第２のコロ６９２は、軸線Ｌから等距離に流入部６５１の周囲に等間隔で６個配置されている。第２のコロ６９２は、その軸を軸線Ｌと同方向に配置されており、カバーパネル６８２の側面６８３に当接する。従って、回転本体部６５０が回転されると、第２のコロ６９２は、カバーパネル６８２の側面６８３上を回転し、回転本体部６５０とカバーパネル６８２との間の摩擦抵抗を低減する。また、送風部６４０の水平方向（軸線Ｌと交差する方向）の可動範囲を第２のコロ６９２とカバーパネル６８２の側面６８３とが当接することにより規制している。
【００３９】
ヘッド部６００と本体１００との接続について説明する。図８は、外装パネル１１０Ａ，１１０Ｂ及びヘッド部６００の断面図である。図９は、図８の部分拡大模式図である。図８及び図９に示すように、ヘッド部６００の下部は、外装パネル１１０Ａ，１１０Ｂの上部とヘッド部６００が持ち上げられた際に係合する。
【００４０】
図２を合わせて参照すると、外装パネル１１０Ａ，１１０Ｂの上部内側には、内側フランジ部１１３Ａ，１１３Ｂが全周にわたってそれぞれ設けられている。内側フランジ部１１３Ａ，１１３Ｂが、本発明における第１係合部を構成している。内側フランジ部１１３Ａ，１１３Ｂは、外装パネル１１０Ａ，１１０Ｂの最上面を形成し、軸線Ｌに向かって径方向内側へ突出している。軸線Ｌの方向から見ると、内側フランジ部１１３Ａ，１１３Ｂは半円環状で外装パネル１１０Ａ，１１０Ｂの内面からの突出量が一定である。本実施形態では、内側フランジ部１１３Ａ，１１３Ｂが本体１００の最上部に設けられているが、これに限らず、ヘッド部６００と係合できるように上部に配置されていればよい。
【００４１】
図６及び図７を合わせて参照すると、ヘッド部６００の下部には、外側上フランジ部６５５及び外側下フランジ部６５６が全周にわたって設けられている。外側上フランジ部６５５及び外側下フランジ部６５６が、本発明における第２係合部を構成している。本実施形態では、外側上フランジ部６５５及び外側下フランジ部６５６がヘッド部６００の最下部に設けられているが、これに限らず、本体１００と係合できるように下部に配置されていればよい。
【００４２】
外側上フランジ部６５５及び外側下フランジ部６５６は、回転本体部６５０の下部に設けられている。外側下フランジ部６５６は、回転本体部６５０の最下面の一部を形成し、軸線Ｌから離れる向きに径方向外側へ突出している。外側上フランジ部６５５は、回転本体部６５０の側面から軸線Ｌから離れる向きに径方向外側へ突出している。外側上フランジ部６５５は、外側下フランジ部６５６の上方に配置されている。
【００４３】
図６に示すように、ヘッド部６００の外装カバー６７０は、下端部に爪部６７４を有する。爪部６７４は、外装カバー６７０の最下面の一部を形成し、本実施形態では外装カバー６７０の内周上の７箇所に内側に突出するように配置されている。また、図８を合わせて参照すると、外装カバー６７０は、回転本体部６５０とねじ止めするためのねじ止めボス６７５を有する。ねじ止めボス６７５は、全部で４つ設けられており、外装カバー６７０の上部内面から下方へ延びている。
【００４４】
図８及び図９に示すように、ヘッド部６００が組み合わせられた状態では、爪部６７４は、回転本体部６５０の外側上フランジ部６５５と外側下フランジ部６５６の間に位置し、外側上フランジ部６５５の下面に係止されている。外装カバー６７０は、外装カバー６７０のねじ止めボス６７５と回転本体部６５０のねじ止めボス６５７がねじ止めされ、回転本体部６５０に固定される。
【００４５】
図８及び図９に示すように、ヘッド部６００と本体１００が組み合わせられた状態では、内側フランジ部１１３Ａ，１１３Ｂは、外側上フランジ部６５５と外側下フランジ部６５６の間の環状溝Ａ内に位置する。外側上フランジ部６５５及び外側下フランジ部６５６は、内側フランジ部１１３Ａ，１１３Ｂと接触しておらず、上下方向に隙間Ｓをもって配置されている。これにより、送風部６４０が回転する際、摩擦抵抗を受けることなく回転できる。また、第１係合部１１３Ａ，１１３Ｂと第２係合部６５５，６５６間、及び、第３係合部６８４と第４係合部６７３間には、それぞれの間に回転体や板ばね等を設けて、通常状態では本体１００に対して送風部６４０を摺動させるようにしてもよい。
【００４６】
ヘッド部６００に対して上方向の力（ヘッド部６００を本体１００に対して持ち上げ用とする力）が付加された場合の力の伝達について説明する。
【００４７】
ヘッド部６００に対して、より具体的には除湿機１の外周部を構成する外装カバー６７０に対して上方向の力が付加された場合、ねじ止めボス６５７，６７５を介して回転本体部６５０に力が伝達される。
【００４８】
回転本体部６５０に対して伝達された上方向の力は、回転本体部６５０の外側下フランジ部６５６と外装パネル１１０Ａ，１１０Ｂの内側フランジ部１１３Ａ，１１３Ｂを介して外装パネル１１０Ａ，１１０Ｂに伝達される。具体的には、回転本体部６５０に上方向の力が伝達されると、回転本体部６５０が上方に持ち上げられ、隙間Ｓがなくなり外側下フランジ部６５６の上面が内側フランジ部１１３Ａ，１１３Ｂの下面に当接することで力が伝達される。外側下フランジ部６５６及び内側フランジ部１１３Ａ，１１３Ｂは、除湿機１の全周にわたって設けられているため、伝達される力をいずれかの部位に集中することなく分散して伝達できる。また、このとき同時に外装カバー６７０の係止部６７３とカバーパネル６８２のフランジ部６８４も当接し、これらを通じた力の伝達もなされる。これに変えて、同時に外装カバー６７０の係止部６７３とカバーパネル６８２のフランジ部６８４も当接しなくてもよい。具体的には、外側下フランジ部６５６及び内側フランジ部１１３Ａ，１１３Ｂが係合した状態から、さらに負荷がかかると、送風装置１が撓み、外装カバー６７０の係止部６７３とカバーパネル６８２のフランジ部６８４が当接するようにしてもよい。
【００４９】
外装パネル１１０Ａ，１１０Ｂに伝達された上方向の力は、ねじ止めにより外装パネル１１０Ａ，１１０Ｂに固定されたベース１０１に伝達され、このようにして本体１００の全体に伝達される。
【００５０】
このように、ヘッド部６００に対して上方向の力（持ち上げ力）が付加された場合、いずれかの部位に持ち上げ力が集中することなく、除湿機１の全体に持ち上げ力を分散できる。特に本体１００に対して回転するヘッド部６００は、本体１００とは別体で構成されている。従って、除湿機１の全体を持ち上げるためには本体１００にヘッド部６００との係合部を設ける必要がある。この係合部を本体１００の外装パネル１１０Ａ，１１０Ｂに配置することで、除湿機１の全体に持ち上げ力を及ぼすことができ、持ち上げ力が集中していずれかの部位が破損することを防止できる。
【００５１】
ヘッド部６００が押し下げられた場合、同様にねじ止めボス６５７，６７５を介して外装カバー６７０から回転本体部６５０に下方向の力（押し下げ力）が伝達される。そして、回転本体部６５０に配置された第１のコロ６９１がベースカバー６３０の上面６３３を押圧して押し下げ力がベースカバー６３０に伝達される。ベースカバー６３０は、ベースカバー６３０とねじ止め固定されたベース本体６２０を押圧してベース本体６２０に押し下げ力を伝達する。ベース本体６２０は、ねじ止め部６２７を介して本体１００のベース１０１のねじ孔１０４（図２参照）とねじ止めされているため、ベース１０１に押し下げ力を伝達し、本体１００の全体に押し下げ力は伝達される。また、さらに過大な押し下げ力が付加された場合、外側上フランジ部６５５が、係止された爪部６７４を介して内側フランジ部１１３Ａ，１１３Ｂに係合し、外装パネル１１０Ａ，１１０Ｂにも押し下げ力を伝達する。従って、応力の集中を防止できるためいずれかの部位が破損することを防止できる。
【００５２】
なお、本実施形態では本発明の第１係合部１１３Ａ，１１３Ｂを外装パネル１１０Ａ，１１０Ｂに設けたが、アウターケーシングを構成する補強パネル１１１Ａ，１１１Ｂに設けてもよい。また、本体１００の外径とヘッド部６００の外径がほぼ同じであるが、本体１００側の外径がヘッド部６００の外径より大きくてもよいし、又はヘッド部６００の外径が本体１００側の外径より大きくてもよい。
【００５３】
（第２実施形態）
図１０Ａは、本発明の第２実施形態に係る第１係合部及び第２係合部を示す概念図である。第１係合部及び第２係合部に関する部分以外の構成は第１実施形態と同様である。従って、第１実施形態に示した構成と同様の部分については説明を省略する。
【００５４】
図１０Ａに示すように、外装パネル１１０Ａ，１１０Ｂは、１つの凸部１１５Ａを有する。また、回転本体部６５０は、１つの凹部６５８Ａを有する。凸部１１５Ａは、凹部６５８Ａに挿入され、ヘッド部６００に対して持ち上げ力や押し下げ力が付加され、凹部６５８Ａが上下方向（軸線Ｌの延びる方向）に移動されることでこれらが係合する。
【００５５】
（第３実施形態）
図１０Ｂは、本発明の第３実施形態に係る第１係合部及び第２係合部を示す概念図である。第１係合部及び第２係合部に関する部分以外の構成は第１実施形態と同様である。従って、第１実施形態に示した構成と同様の部分については説明を省略する。
【００５６】
図１０Ｂに示すように、外装パネル１１０Ａ，１１０Ｂは、１つの凹部１１５Ｂを有する。また、回転本体部６５０は、１つの凸部６５８Ｂを有する。凸部６５８Ｂは、凹部１１５Ｂに挿入され、ヘッド部６００に対して持ち上げ力や押し下げ力が付加され、凸部６５８Ｂが上下方向（軸線Ｌの延びる方向）に移動されることで凸部６５８Ｂ及び凹部１１５Ｂが係合する。
【００５７】
（第４実施形態）
図１０Ｃは、本発明の第４実施形態に係る第１係合部及び第２係合部を示す概念図である。第１係合部及び第２係合部に関する部分以外の構成は第１実施形態と同様である。従って、第１実施形態に示した構成と同様の部分については説明を省略する。
【００５８】
図１０Ｃに示すように、外装パネル１１０Ａ，１１０Ｂは、２つの凸部１１５Ｃ，１１６Ｃを有する。また、回転本体部６５０は、１つの凸部６５８Ｃを有する。凸部６５８Ｃは、２つの凸部１１５Ｃ，１１６Ｃの間に挿入され、ヘッド部６００に対して持ち上げ力や押し下げ力が付加され、凸部６５８Ｃが上下方向（軸線Ｌの延びる方向）に移動されることでこれらが係合する。
【００５９】
（第５実施形態）
図１０Ｄは、本発明の第５実施形態に係る第１係合部及び第２係合部を示す概念図である。第１係合部及び第２係合部に関する部分以外の構成は第１実施形態と同様である。従って、第１実施形態に示した構成と同様の部分については説明を省略する。
【００６０】
図１０Ｄに示すように、外装パネル１１０Ａ，１１０Ｂは、１つの凸部１１５Ｄを有する。凸部１１５Ｄは基端において回転本体部６５０の方向へ延びた延長部を有し、この部分の先端において軸線Ｌ方向（図において上方）へ延びた延長部を有する。また、回転本体部６５０は、１つの凸部６５８Ｄを有する。凸部６５８Ｄの先端は、基端において外装パネル１１０Ａ，１１０Ｂの方向へ延びた延長部を有し、この部分の先端において軸線Ｌ方向（図において下方）へ延びた延長部を有する。これらの２つの凸部１１５Ｄ，６５８Ｄが噛合することで係合する。
【００６１】
（第６実施形態）
図１１は、第６実施形態に係る除湿機１の概念的な断面図を示している。本実施形態の除湿機１は、ヘッド部６００の一部分以外の構成は図４の第１実施形態と同様である。従って、図４に示した構成と同様の部分については同様の符号を付して説明を省略する。
【００６２】
図１１に示すように、本実施形態の除湿機１は、第１実施形態と異なり、ヘッドベース６１０及び収容ケース６８０を備えていない。このため、本発明の回転部を構成する送風部６４０は、本実施形態では本体１００の上に配置され、本体１００に対して回転可能である。第１実施形態ではヘッド部６００が本発明の回転可能に配置される部分（送風部６４０）を有するが、本実施形態では、ヘッド部６００全体が本発明の回転可能に配置される部分を構成している。また、ヘッドベース６１０は、例えば本体１００の上面に一体に成形されていてもよい。このようにすることで、本実施形態では第１実施形態と比べ、部品数を減らし簡易な構成で除湿機１を実現できる。
【００６３】
なお、本実施形態の除湿機１は、例えば室内を乾燥させることを目的とした室内空気を除湿対象とする他、衣類の乾燥を目的とした衣類の水分を除湿対象とするものや、これらの両方の目的を達成するものが含まれる。
【００６４】
また、除湿機を例に本発明を説明したが、本発明は、加湿器、空気調和機、サーキュレータ、冷風機、温風機、及び扇風機のような除湿機以外の送風装置にも適用できる。
【符号の説明】
【００６５】
１…除湿機（送風装置）
２…処理空気経路
２ａ〜２ｅ…処理空気経路の部分
３…再生空気経路
３ａ〜３ｅ…再生空気経路の部分
１００…本体（本体部）
１０１…ベース
１０２…基部
１０３…立壁部
１０４…ねじ孔
１１０Ａ，１１０Ｂ…外装パネル（アウターケーシング）
１１１Ａ，１１１Ｂ…補強パネル
１１２…吸込口
１１３Ａ，１１３Ｂ…内側フランジ部（第１係合部）
１１５Ａ，１１５Ｃ，１１６Ｃ，１１５Ｄ…凸部（第１係合部）
１１５Ｂ，…凹部（第１係合部）
２００…除湿ロータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
６００…ヘッド部
６１０…ヘッドベース
６２０…ベース本体
６２１，６３１…連通口
６２３…モータ（第１駆動手段）
６２４，６２５，６２６…ギア
６２７…ねじ止め部
６３０…ベースカバー
６３２…ボス
６３３…ベースカバー上面
６４０…送風部
６４１…送風案内部
６４２…吹出口
６５０…回転本体部
６５１…流入部
６５２…吹出部
６５３…ギア部
６５４…コロ取付部
６５５…外側上フランジ部（第２係合部）
６５６…外側下フランジ部（第２係合部）
６５７…ねじ止めボス
６５８Ａ…凹部（第２係合部）
６５８Ｂ，６５８Ｃ，６５８Ｄ…凸部（第２係合部）
６６０…ルーバー
６６１…モータ（第２駆動手段）
６７０…外装カバー
６７１…第１開口部
６７２…第２開口部
６７３…係止部（第４係合部）
６７４…爪部
６７５…ねじ止めボス
６８０…収容ケース
６８１…収容ケース本体
６８２…カバーパネル（固定頂部）
６８３…カバーパネル側面
６８４…フランジ部（第３係合部）
６９１…第１のコロ
６９２…第２のコロ
７００…貯水部
７２０…貯水タンク
【図１】
0006309433.tif 000002
【図２】
0006309433.tif 000003
【図３Ａ】
0006309433.tif 000004
【図３Ｂ】
0006309433.tif 000005
【図４】
0006309433.tif 000006
【図５】
0006309433.tif 000007
【図６】
0006309433.tif 000008
【図７】
0006309433.tif 000009
【図８】
0006309433.tif 000010
【図９】
0006309433.tif 000011
【図１０Ａ】
0006309433.tif 000012
【図１０Ｂ】
0006309433.tif 000013
【図１０Ｃ】
0006309433.tif 000014
【図１０Ｄ】
0006309433.tif 000015
【図１１】
0006309433.tif 000016